(57)【特許請求の範囲】
【請求項１】
本体キャビネットと、この本体キャビネットの前面にヒンジにより開閉自在に取付けられた外扉と、この外扉のヒンジとは反対側の扉側縁から本体キャビネット側に張り出して外扉と本体キャビネットの外箱との合せ面を外側から覆う防盗板を備えた自動販売機の防盗装置において、前記防盗板は外扉と本体キャビネットの外箱との合せ面を外側から覆う庇部と、この庇部から延在する二股状の取付基部からなり、二股状の取付基部の一方を外扉の扉枠に固着してなり、二股状の取付基部の他方を外扉の外郭と外扉の扉枠との間に挿入してなり、当該二股状の取付基部の他方を扉枠に係合させたことを特徴とする自動販売機の防盗装置。
【請求項２】
請求項１記載の自動販売機の防盗装置において、二股状の取付基部の他方にフックを形成するとともに扉枠に係合孔を形成し、前記フックを係合孔に係合させたことを特徴とする自動販売機の防盗装置。
【発明の詳細な説明】
【技術分野】
【０００１】
本発明は、自動販売機における本体キャビネットの前面に開閉自在に配設された外扉に付設され、外扉が抉じ開けられて機内から貨幣などが盗難されるのを防止する自動販売機の防盗装置に関する。
【背景技術】
【０００２】
自動販売機は、周知のように本体キャビネットの前面に開閉自在な外扉が配設され、本体キャビネットの前面を閉塞するように外扉を閉じた通常時には外扉が閉位置から開かないようにロックしている。図３は一般的に良く知られている缶飲料などを販売する自動販売機の正面図である。図３において、１は断熱材で囲まれた庫内に缶飲料などを格納した本体キャビネット、２は本体キャビネット１の前面にヒンジ２ａにより開閉自在に装着された外扉、３は販売する商品の商品見本４を陳列して展示するディスプレイ室、５は硬貨投入口，紙幣投入口，返却レバーなどを配備した操作パネル、６は商品取出口であり、操作パネル５にはシリンダー錠付きのハンドル７が組付けられている。８は釣銭返却口であり、外扉２の背面には不図示の通貨関連機器としての硬貨制御装置，紙幣鑑別装置，硬貨回収ボックスなどが配備されている。
【０００３】
前記外扉２の扉ロック機構を図４に示す。図４は扉ロック機構部の要部断面図であり、図４において、９は扉ロック機構におけるハンドル７（図３参照）の後端に連結した釈放用レバー、１０は釈放用レバー９に連繋して外扉２に装備されたスライダーロック、１１はスライダーロック１０に対向して本体キャビネット１の外箱１ａの前端に設けたフック板である。ここで、スライダーロック１０は、良く知られているように、スライダーロック１０に形成した上下方向の長溝に段付きねじを挿通し、当該段付きねじを外扉２に固着することによって上下方向にスライド可能に支持されたＵチャンネル体として形成されている。スライダーロック１０の壁面には前記釈放用レバー９およびフック板１１が嵌入する不図示の角穴が開口している。また、フック板１１はその取付基部を本体キャビネット１の外箱１ａに固定し、前方に突き出した部分の上縁に不図示の凹溝が形成されている。
【０００４】
上記構成の扉ロック機構は周知であり、外扉２を閉じた状態ではスライダーロック１０がフック板１１の凹溝に係合して外扉２を閉位置に鎖錠している。この状態から鍵を使って扉ロック機構のシリンダー錠７ａを解錠した上で、ハンドル７を開位置に回すと釈放用レバー９が回動してスライダーロック１０を上方に引き上げる。これにより、スライダーロック１０とフック板１１との係合が外れて外扉２を自由に開くことができるようになる
（例えば、特許文献１または特許文献２参照）。
【０００５】
しかしながら、前記した扉ロック機構を取付けただけでは、防盗性に次記のような弱点がある。すなわち、外扉２を閉じた扉ロックの状態でも、外扉２と本体キャビネット１との合せ面に残る隙間に外部からバールなどの工具をこじ入れ、扉ロック機構を破壊した上で外扉２を開いて機内から金銭，商品を盗み出す手口の盗難を防ぐことができない。
【０００６】
そこで、前記した盗み手口の防盗対策として、図４に示すように、外扉２の側縁（扉ロック機構を設けた扉の側縁側）に沿って扉枠から背後に張り出し、外扉２と本体キャビネット１との間の合せ面を隠すように外側から覆う庇状の防盗板１２を設けた防盗装置が知られている（例えば特許文献３）。
【０００７】
この防盗板１２は鋼板の板金製品になり、外扉２から背後に張り出す庇部１２ａをダブルホールドの重ね折り構造で形成し、この庇部１２ａから延在する二股状の取付基部１２ｂ，１２ｃのうち、一方の取付基部１２ｂがボルト１３によりねじ止めされて固着され、他方の取付基部１２ｃが外扉２の外郭とスライダーロック１０を囲む扉枠２１との間の隙間に挿入されている。前記防盗板１２を外扉２に装着することにより、外扉２と本体キャビネット１との間の合せ面にバールなどを直接こじ入れることができなくなるとともに、庇部１２ａをダブルホールドした重ね折り構造とすることで曲げ強度が大幅に増強されて防盗性が高まる。
【特許文献１】特許第３１４６８２０号公報
【特許文献２】特開平１１−５３６３１号公報
【特許文献３】特開２００４−３０４１４号公報
【発明の開示】
【発明が解決しようとする課題】
【０００８】
ところで、防盗板１２は、その庇部１２ａから延在する二股状の取付基部１２ｂ，１２ｃのうち、取付基部１２ｂがボルト１３によりねじ止めされ、取付基部１２ｃが外扉２の外郭とスライダーロック１０を囲む扉枠２１との間の隙間に挿入されるように構成されている。前記取付基部１２ｂについては外扉２を開放した際に露出する外扉２の背面に配設されることからボルト１３によりねじ止めして強固に固定できるが、取付基部１２ｃについては外扉２を開放しても露出しない部位に配設しているためねじ止めなどを施すことができないことから強固に固着することができない。このため、防盗板１２と本体キャビネット１との間にバールなどをこじ入れると取付基部１２ｃが動いて防盗板１２はいまにも外れそうに揺れ動く。このように防盗板１２が揺れ動いても防盗板１２が簡単に脱落することはないが、盗難を企てる者に破壊できるかも知れないという期待を抱かせ、破壊行為が続行されてしまうという問題を有する。
【０００９】
そこで、本発明は上記の点に鑑みなされたものであり、防盗板を強固に固着することができ、外扉と本体キャビネットとの間の合せ面にバールなどを直接こじ入れることを確実に防止可能な自動販売機の防盗装置を提供することを目的とする。
【課題を解決するための手段】
【００１０】
上記目的を達成するために本発明は、本体キャビネットと、この本体キャビネットの前面にヒンジにより開閉自在に取付けられた外扉と、この外扉のヒンジとは反対側の扉側縁から本体キャビネット側に張り出して外扉と本体キャビネットの外箱との合せ面を外側から覆う防盗板を備えた自動販売機の防盗装置において、前記防盗板は外扉と本体キャビネットの外箱との合せ面を外側から覆う庇部と、この庇部から延在する二股状の取付基部からなり、二股状の取付基部の一方を外扉の扉枠に固着してなり、二股状の取付基部の他方を外扉の外郭と外扉の扉枠との間に挿入してなり、当該二股状の取付基部の他方を扉枠に係合させたことを特徴とする（請求項１）。
【００１１】
この場合、二股状の取付基部の他方にフックを形成するとともに扉枠に係合孔を形成し、前記フックを係合孔に係合させるのがよい（請求項２）。
【発明の効果】
【００１２】
本発明の請求項１に記載した自動販売機の防盗装置によれば、防盗板を構成する二股状の取付基部のそれぞれを外扉に強固に固着することができ、防盗板と本体キャビネットとの間にバールなどがこじ入れられても防盗板がぐらぐらと揺れ動くことがないので、盗難を企てる者に防盗板を外すことができるかも知れないという期待を抱かせることを抑制して自動販売機が破壊されるのを防止することができるという効果を有する。
【００１３】
また、請求項２に記載の自動販売機の防盗装置によれば、二股状の取付基部の他方にフックを形成するとともに扉枠に係合孔を形成し、前記フックを係合孔に係合させればよいことから、既存の自動販売機を大幅に設計変更することなく防盗機能を高めることができるという効果を有する。
【発明を実施するための最良の形態】
【００１４】
以下に添付図面を参照して、本発明に係る自動販売機の実施の形態を説明する。図１は本発明の一実施例として自動販売機の防盗装置を示す要部断面図であり、図２は防盗板の斜視図であり、図４に示した従来装置と同一の部材には同一の符号を付してその説明は省略する。
【００１５】
図１に示す実施例において防盗板１２は従来と同様に鋼板の板金製品になり、外扉２から背後に張り出す庇部１２ａをダブルホールドの重ね折り構造で形成し、この庇部１２ａから延在する二股状の取付基部１２ｂ，１２ｃのうち、一方の取付基部１２ｂがボルト１３によりねじ止めされて固着され、他方の取付基部１２ｃが外扉２の外郭とスライダーロック１０を囲む扉枠２１との間の隙間に挿入されている。この防盗板１２が従来装置と異なる点は、図２に示すように、庇部１２ａから延在する二股状の取付基部１２ｂ，１２ｃのうち、他方の取付基部１２ｃの縁部にフック１２１を設けた点である。防盗板１２自体は外扉２と本体キャビネット１との合せ面のすべてを覆うように長尺に形成されていることから、この実施例では３個のフック１２１を形成している。さらに、前記防盗板１２のフック１２１に合せて外扉２の扉枠２２には３個の係合孔２２１を形成している。なお、図２には点線枠内に係合孔２２１を示している。
【００１６】
前記防盗板１２の外扉２への取付けは、先ず、防盗板１２の他方の取付基部１２ｃを外扉２の外郭と扉枠２１との間に挿入する。このとき、取付基部１２ｃのフック１２１が扉枠２２の係合孔２２１に合致するように取付基部１２ｃを挿入してもよいが、扉枠２２の係合孔２２１に対して取付基部１２ｃのフック１２１を上方にずれた状態で挿入してフック１２１の先端を扉枠２２に当接させ、この状態で防盗板１２を下降させてフック１２１を扉枠２２の係合孔２２１に落とし込むのがよい。このようにして他方の取付基部１２ｃのフック１２１を扉枠２２の係合孔２２１に係合させた後、一方の取付基部１２ｂをねじにより固着することにより防盗板１２の外扉２への組付けが完了する。
【００１７】
前述したように組付けられた防盗板１２は外扉２を閉じた通常時には外扉２と本体キャビネット１との合せ面を覆っている。この状態で、防盗板１２の庇部１２ａと本体キャビネット１との間にバールなどをこじ入れたとしても、防盗板１２は庇部１２ａから二股状に延在した一方の取付基部１２ｂがボルト１３により固着され、他方の取付基部１２ｃがフック１２１と係合孔２２１との係合により固着されているので揺れ動くことがない。したがって、防盗板１２により外扉と本体キャビネットとの間の合せ面にバールなどをこじ入れて破壊しようとする企てを早い段階で諦めさせることができ、金銭の盗難を抑制することが可能となり、また、破壊行為を早い段階で諦めさせることができるので簡単な修理で元の状態に回復させることが可能となる。
【図面の簡単な説明】
【００１８】
【図１】本発明の一実施例の自動販売機の防盗装置を示す要部断面図
【図２】本発明に係る防盗板の斜視図
【図３】自動販売機の構成を示す正面図
【図４】従来の自動販売機の防盗装置を示す要部断面図
【符号の説明】
【００１９】
１    本体キャビネット
２    外扉
１ａ    外箱
２ａ    ヒンジ
１２    防盗板
２２    扉枠
１２ａ    庇部
１２ｂ    一方の取付基部
１２ｃ    他方の取付基部
１２１    フック
２２１    係合孔
【図１】
0004492502.tif 000002
【図２】
0004492502.tif 000003
【図３】
0004492502.tif 000004
【図４】
0004492502.tif 000005